(57)【要約】【課題】  スムーズに素早く開閉操作が行えるスクリーン装置の提供。【解決手段】  複数のパネル２ａ，２ｂ，…をヒンジ３ａ，３ｂ，…で連結し蛇腹状に伸縮自在としたスクリーン体１と、スクリーン体１の伸縮方向に沿ってスクリーン体の両側に配置したガイド枠４，４とを備え、パネル同士を連結するヒンジのうち縮めたときにガイド枠側に位置するヒンジ３ｂはギアヒンジであり、ギアヒンジ３ｂにはガイド枠４の長手方向に沿ってスライドするスライド具５が取付けてあり、スクリーン体１の伸縮時に各パネル２ａ，２ｂ，…の動きがギアヒンジ３ｂにより同調する。【選択図】      図１
2010024731.tif 000002
【特許請求の範囲】
【請求項１】
複数のパネルをヒンジで連結し蛇腹状に伸縮自在としたスクリーン体と、スクリーン体の伸縮方向に沿ってスクリーン体の両側に配置したガイド枠とを備え、パネル同士を連結するヒンジのうち縮めたときにガイド枠側に位置するヒンジはギアヒンジであり、ギアヒンジにはガイド枠の長手方向に沿ってスライドするスライド具が取付けてあり、スクリーン体の伸縮時に各パネルの動きがギアヒンジにより同調することを特徴とするスクリーン装置。
【請求項２】
スクリーン体は、孔開きパネルと孔無しパネルの２種類のパネルで構成してあることを特徴とする請求項１記載のスクリーン装置。
【請求項３】
スクリーン体は上下方向に伸縮するものであり、且つ上から順番に孔無しパネルと孔開きパネルとが交互に配置してあることを特徴とする請求項２記載のスクリーン装置。
【請求項４】
スクリーン体を平面状に伸ばしたときにガイド枠がスクリーン体の後に隠れることを特徴とする請求項１，２又は３記載のスクリーン装置。
【発明の詳細な説明】
【技術分野】
【０００１】
本発明は、防犯やプライバシーの保護等を目的として設置される開閉可能なスクリーン装置に関する。
【背景技術】
【０００２】
特許文献１には、倉庫等の開口部を開閉する開閉扉として、複数の横長の長方形の板を上下方向に並べてヒンジで順次連結し、上下方向に蛇腹状に折畳み可能とした開閉扉が記載されている。この開閉扉は、開けるときには同文献の図７に記載されているように、下のほうから順番にパタパタと折り畳まれてゆくため、開くときの動きがスムーズではなく、開くのに手間がかかる上に、一部のヒンジに加重が偏るため、がたつきやすい等といった問題があった。
【特許文献１】特開２００３−２３９６５４号公報
【発明の開示】
【発明が解決しようとする課題】
【０００３】
本発明は以上に述べた実情に鑑み、スムーズに素早く開閉操作が行えるスクリーン装置の提供を目的とする。
【課題を解決するための手段】
【０００４】
上記の課題を達成するために請求項１記載の発明によるスクリーン装置は、複数のパネルをヒンジで連結し蛇腹状に伸縮自在としたスクリーン体と、スクリーン体の伸縮方向に沿ってスクリーン体の両側に配置したガイド枠とを備え、パネル同士を連結するヒンジのうち縮めたときにガイド枠側に位置するヒンジはギアヒンジであり、ギアヒンジにはガイド枠の長手方向に沿ってスライドするスライド具が取付けてあり、スクリーン体の伸縮時に各パネルの動きがギアヒンジにより同調することを特徴とする。
【０００５】
請求項２記載の発明によるスクリーン装置は、請求項１記載の発明の構成に加え、スクリーン体は、孔開きパネルと孔無しパネルの２種類のパネルで構成してあることを特徴とする。
【０００６】
請求項３記載の発明によるスクリーン装置は、請求項２記載の発明の構成に加え、スクリーン体は上下方向に伸縮するものであり、且つ上から順番に孔無しパネルと孔開きパネルとが交互に配置してあることを特徴とする。
【０００７】
請求項４記載の発明によるスクリーン装置は、請求項１，２又は３記載の発明の構成に加え、スクリーン体を平面状に伸ばしたときにガイド枠がスクリーン体の後に隠れることを特徴とする。
【発明の効果】
【０００８】
請求項１記載の発明によるスクリーン装置は、蛇腹状に伸縮するスクリーン体のパネル同士を連結するヒンジのうち、縮めたときにガイド枠側に位置するヒンジをギアヒンジとしたことで、スクリーン体は各ヒンジ部で同一角度で折れ曲がり、各パネルの動きが同調して全体的に均等に伸縮するため、スムーズに素早く開閉操作が行える。
【０００９】
さらに請求項２記載の発明によるスクリーン装置は、スクリーン体が孔開きパネルと孔無しパネルの２種類のパネルで構成してあることで、締め切ったときでも孔開きパネルより光や風が入るため、閉塞感が和らげられる。
【００１０】
請求項３記載の発明によるスクリーン装置は、スクリーン体が上下方向に伸縮するものであり、且つ上から順番に孔無しパネルと孔開きパネルとが交互に配置してあるので、締め切ったときでも孔開きパネルより光や風が入るため閉塞感がなく、また全開状態では孔無しパネルが庇のようになって日差しを遮ることができるので、シャッターボックスを設ける必要がなく、すっきりした外観になる。またスクリーン体を自由に伸縮させて遮光・通風範囲を調節し、簾のような用い方ができる。
【００１１】
請求項４記載の発明によるスクリーン装置は、スクリーン体を平面状に伸ばしたときにガイド枠がスクリーン体の後に隠れるため、より一層すっきりした外観になる。
【発明を実施するための最良の形態】
【００１２】
以下、本発明の実施の形態を図面に基づいて説明する。図２（ａ）はスクリーン装置の全閉状態での室外側正面図であり、図２（ｂ）は全開状態での室外側正面図であり、図３は全閉状態での縦断面図であり、図４は全開状態での縦断面図であり、図５は全閉状態での横断面図である。本スクリーン装置は、サッシ窓の室外側に既存のサッシ枠１０の周囲を囲む形で設けた枠１１と、枠１１の前面に取付けられ上下方向に蛇腹状に伸縮するスクリーン体１とで構成されている。枠１１は、上枠１２と下枠１３と左右の竪枠４，４とを長方形に枠組みし、躯体１４の室外側面にネジ１５で固定してある。
【００１３】
スクリーン体１は、図２（ａ）に示すように、同じ大きさの横長長方形のアルミ製のパネル２ａ，２ｂ，…を上下に複数並べてヒンジ３ａ，３ｂ，…で連結し、一番上のパネル２ａの上部を上枠１２にヒンジ３ｃで取付けて吊下げ、一番下のパネル２ｂの下部に座板１６をヒンジ３ｄで取付けている。上から２，４，６番目のパネル２ｂは、多数の孔１７が開けられた孔開きパネルとなっており、上から１，３，５番目のパネル２ａは孔が開けられていない孔無しパネルとなっている。各パネル２ａ，２ｂは、図７に示すように、上縁部と下縁部に室内側に円弧状にカールした曲げ部１８を有し、曲げ部１８を切り欠いたところにヒンジ３ａ，３ｂ，３ｃ，３ｄを取付けている。スクリーン体１の横幅は、枠１１の横幅よりも大きくなっており、図２に示すように、スクリーン体１を全閉状態にしたときには、竪枠４，４がスクリーン体１の後に隠れる。
【００１４】
上から２番目のパネル２ｂの下縁部と３番目のパネル２ａの上縁部を連結しているヒンジ３ｂ、及び上から４番目のパネル２ｂの下縁部と５番目のパネル２ａの上縁部を連結しているヒンジ３ｂは、図６に示すように、２軸のギアヒンジとなっている。ギアヒンジ３ｂは、互いに噛み合うギア部１９が形成された一対のパネル取付片２０，２０と、ギア部１９，１９の中心部同士を連結する連結材２１とを有しており、ギア部１９，１９が噛み合いながら各パネル取付片２０，２０が室外側に同一角度回動して谷折状に曲がるようになっている。パネル取付片２０をパネル２ａ，２ｂに取付けるにあたり、図７に示すように、パネル２ａ，２ｂの側部室内側面にパネル補助材２２を嵌め込み、パネル補助材２２とパネル取付片２０とにそれぞれ室外側から挿入したビス２３（ビス２３は、パネル取付片２０とパネル補助材２２に予め挿入される）のネジ部を繋ぎ材２４に挿通してナット３９掛けすることで、取付用のビス２３が室外側から見えないようにしている。ギアヒンジ３ｂの連結材２１の室内側面には、図５，６に示すように、竪枠４の長手方向に沿ってスライドするスライド具５が取付けてある。スライド具５は、平面視Ｌ形の取付材２５と、取付材２５の見込み片に取付けた２つのローラー２６，２６を有し、各ローラー２６が竪枠４の長手方向に設けた突条３８と係合しながら回転することで、スライド具５は同一の姿勢を保ったまま上下に滑らかにスライドする。
他のヒンジ３ａ，３ｃ，３ｄは、図８に示すように、パネル２ａ，２ｂの曲げ部１８に保持させた軸２７と、軸２７同士を連結する連結材３７とで構成され、自由に曲がるようになっている。
【００１５】
座板１６は、図８に示すように、アルミ押出形材で形成した座板本体２８と、座板本体２８の室内側面に形成した横軸２９に嵌合取付けした引き手３０を有している。座板本体２８の左右両側部には施錠装置３１を設けてあり、図３に示すようにスクリーン体１を全閉状態としたときには、施錠装置３１の爪３１ａが竪枠４の下端部に突設した掛かり棒３２と係合して施錠される。引き手３０に手を掛けて持ち上げると、引き手３０は横軸２９を支点として上方に回動し、それに伴い引き手３０に取付けたピン３３を介して施錠装置３１が開錠操作される。座板１６の室内側面にも、竪枠４の長手方向に沿ってスライドするスライド具５が取付けてある。
【００１６】
上枠１１内の空間には、図３，４，９に示すように、バランサー３４と滑車３５を設置してある。バランサー３４からのびるワイヤー３６は、滑車３５に掛けて下方に垂らし、先端部を座板１６に取付けたスライド具５に固定してある。このように、スクリーン体１の座板１６をバランサー３４で吊り上げていることで、スクリーン体１を軽い力で開けることができると共に、スクリーン体１を任意の半開き状態で停止できる。
【００１７】
図１は、スクリーン体１を開操作するときの状態を示している。室内側から座板１６の引き手３０に手を掛けて持ち上げると、スクリーン体１は各ヒンジ部３ａ，３ｂ，３ｃ，３ｄで折れ曲がって蛇腹状に折り畳まれる。このとき、ギアヒンジ３ｂを介して各パネル２ａ，２ｂ，…の回動角度αが同一角度で伝達されるため、各パネル２ａ，２ｂ，…の動きが同調し、スクリーン体１が全体的に均等に縮む。そのため、スクリーン体１の開操作をスムーズに、素早く行うことができる。また、一箇所のヒンジに加重が偏ることがないので、がたつきや破損を防止できる。
【００１８】
図１０は、本スクリーン装置の使用状態を示す縦断面図であり、（ａ）は全閉状態、（ｂ）は半開き状態、（ｃ）は全開状態をそれぞれ示している。
（ａ）に示す全閉状態では、スクリーン体１がサッシのガラス以外の物理的仕切りとなって防犯性を向上できる。また、スクリーン体１による遮光により、外付けブラインドのように室内の気温の上昇を抑えることができる。さらに、外からの視線を遮りプライバシーを保護でき、しかも一つおきに孔開きパネル２ｂを配置してあるので、閉塞感がない。孔開きパネル２ｂを通じてやわらかな風を採り込むこともできる。
（ｂ）に示す半開き状態では、半開き状態のスクリーン体１により遮光すると共に、スクリーン体１の下方よりほどよい通風が可能なため、優れた省エネ効果が得られる。また、人の視線の高さスクリーン体１により遮り、プライバシーを確保しながら庭の景色等を楽しむことができる。
（ｃ）に示す全開状態では、折り畳まれたスクリーン体１が庇のようになって強い日差しを遮り、省エネ効果が得られる。また、開口部いっぱいの眺望が確保できると共に、開口部いっぱいの採風が可能である。
さらに本スクリーン装置は、シャッターボックスが無い上、全閉状態で竪枠４と下枠１３がスクリーン体１の後に隠れるため、すっきりした印象となり、住宅外観イメージを向上することができる。
【００１９】
図１１は、本発明のスクリーン装置の他の実施形態であって、スクリーン体１を左右方向に伸縮自在としたものを示している。スクリーン体１は、縦長の長方形のパネル２ａ，２ｂ，…を通常のヒンジ３ａとギアヒンジ３ｂで交互に連結してあり、ギアヒンジ３ｂにはスライド具（図示省略）を設け、スライド具を上枠１２と下枠１３の長手方向に沿ってスライド自在にしてある。
【００２０】
本発明は以上に述べた実施形態に限定されない。スクリーン体は、孔開きパネルのみ、または孔無しパネルのみで構成したものであってもよく、パネルの材質、形状、孔の形状や配置等は任意である。枠は、左右の竪枠のみ、又は上下枠のみとすることもできる。スクリーン装置の設置場所は、窓の室外側に限らず任意の場所に設置することができ、例えば庭の周囲に垣根状に設置することもできる。
【図面の簡単な説明】
【００２１】
【図１】スクリーン体を開操作したときの状態を示す縦断面図である。
【図２】（ａ）は全閉状態でのスクリーン装置の室外側正面図であり、（ｂ）は全開状態でのスクリーン装置の室外側正面図である。
【図３】全閉状態でのスクリーン装置の縦断面図である。
【図４】全開状態でのスクリーン装置の縦断面図である。
【図５】全閉状態でのスクリーン装置の横断面図である。
【図６】ギアヒンジ部の斜視図である。
【図７】ギアヒンジの取付構造を示す分解斜視図である。
【図８】（ａ）はスクリーン体下部の側面図、（ｂ）はＡ−Ａ断面図、（ｃ）は室内側面図である。
【図９】上枠を一部切り欠きして示す拡大平面図である。
【図１０】スクリーン装置の使用状態を示す概略縦断面図であって、（ａ）は全閉状態、（ｂ）は半開き状態、（ｃ）は全開状態を示している。
【図１１】本発明のスクリーン装置の他の実施形態を示す室外側正面図であって、（ａ）は全閉状態、（ｂ）は全開状態を示している。
【符号の説明】
【００２２】
１  スクリーン体
２ａ  孔無しパネル（パネル）
２ｂ  孔開きパネル（パネル）
３ａ  ヒンジ
３ｂ  ギアヒンジ（ヒンジ）
４  竪枠（ガイド枠）
５  スライド具
【図１】
2010024731.tif 000003
【図２】
2010024731.tif 000004
【図３】
2010024731.tif 000005
【図４】
2010024731.tif 000006
【図５】
2010024731.tif 000007
【図６】
2010024731.tif 000008
【図７】
2010024731.tif 000009
【図８】
2010024731.tif 000010
【図９】
2010024731.tif 000011
【図１０】
2010024731.tif 000012
【図１１】
2010024731.tif 000013